(57)【要約】【課題】受信状態の良否に応じて放送信号の増幅率を調整することができる放送受信装置を提供する。【解決手段】デジタル放送波を受信し、放送信号として後段回路に伝送する受信部と、該放送信号を増幅する増幅部と、前記受信状態の良否を判断する判断部と、該判断の結果に応じて前記増幅における増幅率を調整する増幅率調整部と、を備えた放送受信装置とする。【選択図】図１
2008199430.tif 000002
【特許請求の範囲】
【請求項１】
デジタル放送の放送波を受信し、放送信号として後段回路に伝送する受信部と、
該放送信号を増幅する増幅部と、
前記受信状態の良否を判断する判断部と、
該判断の結果に応じて前記増幅における増幅率を調整する増幅率調整部と、
を備えたことを特徴とする放送受信装置。
【請求項２】
前記判断部は、
前記増幅された放送信号の振幅状態が所定の基準水準より大きいか否かを検出し、該検出結果に基づいて、前記受信状態の良否を判断することを特徴とする請求項１に記載の放送受信装置。
【請求項３】
前記増幅された放送信号を復調し、該復調により得られた情報に基づいて、映像または音響の出力を行うものであるとともに、該映像または音響の品質は、前記増幅率が大きいほど向上するものであって、
前記基準水準は、
該映像または音響の品質が、所定水準となるときの前記振幅状態として定められていることを特徴とする請求項２に記載の放送受信装置。
【請求項４】
前記増幅率調整部は、
前記振幅状態が前記基準水準より小さいときに、前記増幅率を大きくするように前記調整を行うことを特徴とする請求項２または請求項３に記載の放送受信装置。
【請求項５】
前記増幅率調整部は、互いに前記増幅率の異なる複数のモードのうちの何れかが適用されて、前記調整を行うものであるとともに、
前記振幅状態が前記基準水準より大きくなる範囲であって前記増幅率が最も小さい前記モードを探索し、該モードを前記増幅率調整部に適用する、最適化処理を行うことを特徴とする請求項２から請求項４の何れかに記載の放送受信装置。
【請求項６】
前記最適化処理は、
前記増幅率調整部に、前記モードを前記増幅率の小さいものから順に仮適用する第１処理と、
該仮適用のなされた各状態について、前記検出を実行する第２処理と、
前記第２処理において前記振幅状態が前記基準水準より大きいと判断された段階で、前記仮採用のなされているモードを、前記増幅率調整部に適用する第３処理と、
を含むことを特徴とする請求項５に記載の放送受信装置。
【請求項７】
内部装置への電源供給のＯＮ／ＯＦＦ、または前記放送信号におけるチャンネルの切替がなされる請求項５または請求項６に記載の放送受信装置であって、
前記最適化処理は、
少なくとも、前記電源供給がＯＮに切替わったとき、または前記チャンネルの切替がなされたときに行われることを特徴とする放送受信装置。
【請求項８】
前記増幅率の調整を、外部からの指示に基づいて実行させることが可能であることを特徴とする請求項１から請求項７の何れかに記載の放送受信装置。
【請求項９】
前記受信状態の良否に応じた表示を行う表示部を設けたことを特徴とする請求項８に記載の放送受信装置。
【請求項１０】
請求項１から請求項９の何れかに記載の放送受信装置を備えたことを特徴とする移動体端末。
【発明の詳細な説明】
【技術分野】
【０００１】
本発明は、デジタル放送波を受信する放送受信装置に関し、特に、放送信号を増幅させるものに関する。
【背景技術】
【０００２】
通信技術の発展やデジタル放送の一般化に伴い、携帯型のデジタル放送受信装置（以下、単に「放送受信装置」と称す）の開発も進んでいる。例えば特許文献１によると、受信状況の良否を検出するとともに、この検出結果に応じてアンテナの向きの調整等を行うものが開示されている。
【０００３】
また放送受信装置においては、放送局からの距離や放送波に対する障害物の有無などによって、受信状態の良否が大きく異なる。特に放送受信装置が、移動体端末に組み込まれているような場合には、装置自身の移動に伴って受信状態が刻々と変化することも多い。
【０００４】
その一方で放送受信装置では、受信したデジタル放送信号に対する復調処理（スライスによる２値化処理など）を行うにあたり、放送信号の振幅レベルが小さ過ぎると適切に処理がなされない虞がある。そこで通常、受信された放送信号はアンプによって増幅され、復調処理が適切になされるように配慮されている。
【特許文献１】特開２００１−３５９００３号公報
【特許文献２】特開昭６４−３２５０３
【発明の開示】
【発明が解決しようとする課題】
【０００５】
先述の通り、放送受信装置における受信状況の良否は種々の要因によって変動するため、受信状態が悪い場合（特に電界強度が小さくなる場合）も想定される。このような場合は、通常よりも放送信号の振幅が小さくなり、適切な復調処理などが妨げられるおそれがある。ただしかかる場合であっても、放送信号の増幅率が十分に大きく設定されていれば、このような不具合を回避できる可能性が高い。
【０００６】
しかし一般的に放送信号の増幅処理においては、その増幅率を大きくする程、消費される電力も増大する。そのため増幅率が常に大きく設定されているものでは、受信状況が比較的良好な場合（放送信号の増幅率が比較的小さくても復調処理が可能）であっても大きな電力が消費されることとなる。このような事態は電力の無駄に繋がり、特に移動体端末のように省電力化が重要である場合には、大きな問題である。
【０００７】
つまり増幅率（受信品質）の向上と省電力化とはトレードオフの関係にあるため、増幅率は、受信状態の良否に応じて極力過不足の無いように設定されることが好ましい。そこで本発明は、上記の問題点に鑑み、受信状態の良否に応じて放送信号の増幅率を調整し得る、放送受信装置の提供を目的とする。
【課題を解決するための手段】
【０００８】
上記目的を達成するために本発明に係る放送受信装置は、デジタル放送の放送波を受信し、放送信号として後段回路に伝送する受信部と、該放送信号を増幅する増幅部と、前記受信状態の良否を判断する判断部と、該判断の結果に応じて前記増幅における増幅率を調整する増幅率調整部と、を備えた構成（第１の構成）としている。
【０００９】
本構成によれば、受信状態の良否（例えば放送波における電界強度の強弱）に応じて、放送信号の増幅率を調整させることが可能となる。そのため、受信状態が良い場合には、増幅率を比較的小さくすることで省電力を重視し、逆に受信状態が良くない場合には、増幅率を比較的大きくすることで信号の品質確保を重視するといったことが容易となる。
【００１０】
また上記第１の構成において、前記判断部は、前記増幅された放送信号の振幅状態が所定の基準水準より大きいか否かを検出し、該検出結果に基づいて、前記受信状態の良否を判断する構成（第２の構成）としてもよい。
【００１１】
一般に放送信号の受信状態が良い場合は、放送波の電界強度は比較的高いことから、受信される放送信号の振幅も大きいと推察される。また逆に受信状態が悪い場合は、放送信号の振幅は小さいと推察される。そのため本構成によれば、受信状態の良否を判断することが可能となる。
【００１２】
また本構成では、増幅された放送信号の振幅状態が基準水準より大きいか否かにより受信状態の良否を判断する。そのため、例えば増幅後の放送信号に復調などの処理を施す場合、この処理が適切になされるか否かの境界を基準水準とすることにより、当該処理の可否に対応して受信状態の良否を判断することが可能となる。
【００１３】
また上記第２の構成において、前記増幅された放送信号を復調し、該復調により得られた情報に基づいて、映像または音響の出力を行うものであるとともに、該映像または音響の品質は、前記増幅率が大きいほど向上するものであって、前記基準水準は、該映像または音響の品質が、所定水準となるときの前記振幅状態として定められている構成（第３の構成）としてもよい。
【００１４】
本構成によれば、放送内容についての映像出力または音響出力（両方を出力する場合も含む）を行うことが可能である。そして基準水準は、映像または音響の品質が所定水準となるときの振幅状態として定められているため、映像または音響の品質を所定水準以上に維持することが可能となる。なお所定水準としては、例えば、ユーザが不快感を抱かずに視聴できる範囲の下限とすればよい。
【００１５】
また上記第２または第３の構成において、前記増幅率調整部は、前記振幅状態が前記基準水準より小さいときに、前記増幅率を大きくするように前記調整を行う構成（第４の構成）としてもよい。
【００１６】
本構成によれば、受信状態の悪化により振幅状態が基準水準より小さくなっても、振幅状態が基準水準以上となるように調整される。そのため、振幅状態が基準水準以上となるように維持される必要がある場合に、かかる要求に応えることが可能となる。
【００１７】
また上記第２または第３の構成において、前記増幅率調整部は、互いに前記増幅率の異なる複数のモードのうちの何れかが適用されて、前記調整を行うものであるとともに、前記振幅状態が前記基準水準より大きくなる範囲であって前記増幅率が最も小さい前記モードを探索し、該モードを前記増幅率調整部に適用する、最適化処理を行う構成（第５の構成）としてもよい。
【００１８】
本構成によれば、最適化処理により、放送信号の振幅状態を一定以上に確保しつつも、増幅処理に係る消費電力を極力抑えることが可能となる。
【００１９】
また上記第５の構成において、前記最適化処理は、前記増幅率調整部に、前記モードを前記増幅率の小さいものから順に仮適用する第１処理と、該仮適用のなされた各状態について、前記検出を実行する第２処理と、前記第２処理において前記振幅状態が前記基準水準より大きいと判断された段階で、前記仮採用のなされているモードを、前記増幅率調整部に適用する第３処理と、を含む構成（第６の構成）としてもよい。
【００２０】
本構成によれば、最適化処理の実行にあたり、現状に対して増幅率が大き過ぎるモードについては、第２処理を省略することが可能となる。そのため、最適化処理を効率よく実行することが可能となる。
【００２１】
また内部装置への電源供給のＯＮ／ＯＦＦ、または前記放送信号におけるチャンネルの切替がなされる、上記第５または第６の構成に係る放送受信装置であって、前記最適化処理は、少なくとも、前記電源供給がＯＮに切替わったとき、または前記チャンネルの切替がなされたときに行われる構成（第７の構成）としてもよい。
【００２２】
電源供給がＯＮに切替わったとき、またはチャンネルの切替がなされたときは、受信状態が大きく変動する可能性が高いと考えられる。しかし本構成によれば、このように受信状態が変動した場合であっても、最適化処理により増幅率が適切に調整される。
【００２３】
また上記第１から第７の何れかの構成において、前記増幅率の調整を、外部からの指示に基づいて実行させることが可能である構成（第８の構成）としてもよい。
【００２４】
本構成によれば、例えば何らかの都合により、増幅率をある特定の値に調整したい場合であっても、外部からそのようにする旨の指示を与えることにより、かかる要求に応えることができる。
【００２５】
また上記第８の構成において、前記受信状態の良否に応じた表示を行う表示部を設けた構成（第９の構成）としてもよい。本構成によれば、ユーザが受信状態の良否を参照しながら、増幅率を調整するための指示を与えることが可能となる。
【００２６】
また上記第１から第９の何れかの構成に係る放送受信装置を備えた構成（第１０の構成）の移動体端末であれば、デジタル放送を受信可能であるとともに、上記の何れかの構成に係る利益を享受することができる。
【発明の効果】
【００２７】
上述したように本発明に係る放送受信装置によれば、受信状態の良否に応じて、放送信号の増幅率を調整させることが可能となる。そのため、受信状態が良い場合には、増幅率を比較的小さくすることで省電力を重視し、逆に受信状態が良くない場合には、増幅率を比較的大きくすることで信号の品質確保を重視するといったことが容易となる。
【発明を実施するための最良の形態】
【００２８】
本発明の実施形態として、図１に示す構成のデジタル放送受信装置（放送受信装置）を挙げて、以下に説明する。本図のように放送受信装置１は、アンテナ１１、ＲＦ回路１２、放送信号処理部１３、出力部１４、電源部１５、増幅率調整部１６、制御部１７、および操作部１８などを備えている。また放送受信装置１は、例えば移動体端末（携帯電話など）に備えられて使用される。
【００２９】
アンテナ１１は、デジタル放送に係る放送局からの放送波を受信して、これを放送信号として後段の回路に伝送する。
【００３０】
ＲＦ回路１２は、アンテナ１１側から伝送される放送信号に対して、増幅処理や中間周波数信号への変換処理などを行い、後段の放送信号処理部１３に伝送する。ＲＦ回路１２の詳細な構成について、図２を参照しながら説明する。本図のようにＲＦ回路１２は、ＲＦ可変増幅回路２１、ミキサー回路２２、および局部発振回路２３などを備えている。
【００３１】
かかる構成により、放送信号はＲＦ可変増幅回路２１で増幅された後、ミキサー回路２２において局部発振回路２３からの局部発振信号と加算されることで、中間周波数信号に変換される。またＲＦ可変増幅回路２１は、後述する増幅率設定情報を受けるようになっており、この情報に応じて放送信号の増幅における増幅率（以下、単に「増幅率」と称する）が変動するものとなっている。
【００３２】
より具体的には、増幅率が最も高い状態である「モードＡ」、その次に増幅率が高い状態である「モードＢ」、および増幅率が最も低い状態である「モードＣ」の３個の処理モードが用意されており、これらのうちの何れかが設定される。なお以下、モードＣからモードＡに近づく（増幅率が上がる）ほど、「ランクが上がる」と表現する。
【００３３】
そしてこれらのモードが切替えられることにより増幅率が変動する。なおミキサー回路２２および局部発振回路２３も同じく増幅率設定情報を受けるようになっており、この情報に応じた適切な処理を行う。これにより、ＲＦ可変増幅回路２１における増幅率が変動しても、中間周波数信号の生成に支障が生じないようになっている。
【００３４】
なおＲＦ回路１２は、電源部１５から供給される電力により作動する。そして増幅率を大きくするほど、増幅に必要な電力は増大するため、ＲＦ回路１２を作動させるために必要な消費電力は増大する。そのためＲＦ回路１２では、増幅率が大きくなるほど（モードＣからモードＡとなるにつれて）、消費電力も大きくなる一方、逆に増幅率が小さくなるほど（モードＡからモードＣとなるにつれて）、消費電力は小さく抑えられようになっている。消費電力が小さく抑えられるほど、放送内容の視聴可能時間を延ばすことが可能となる。
【００３５】
図１に戻り、放送信号処理部１３は、ＲＦ回路１２から入力される中間周波数信号を復調し、ベースバンド信号に変換する。これにより、デジタル放送に係る情報が取得される。なお復調は、スライス処理（入力波形とスライスレベルとの比較結果により、２値化信号を得る）などを通じて行われる。そのため放送波の受信状態が悪く、その振幅が小さい場合には、これを補う程度に十分に放送信号が増幅されていない限り、復調処理においてエラーが多発するおそれがある。また放送信号処理部１３は、ＲＦ回路１２で増幅された放送信号の振幅を監視しており、その結果を振幅情報として、継続的に増幅率調整部１６へ伝送する。
【００３６】
出力部１４は、例えば音響発生装置（スピーカ）や映像表示装置（ディスプレイ）などからなり、上述した復調により得られた情報に基づいて、放送内容（映像および音響）を出力する。そのため復調の安定性が良い程（例えば、エラーの発生頻度が小さい程）、映像および音響の品質は向上する。
【００３７】
また電源部１５は、充電池などから構成されており、放送受信装置１内部の各装置に電力を供給する。なおこの電力供給は、操作部１８を通じて、自在にＯＮ／ＯＦＦが切替えられるものとなっている。
【００３８】
増幅率調整部１６は、所定の振幅判断を実行し、この検出に基づいて先述した増幅率設定情報を生成して、ＲＦ回路１２に伝送する。なお振幅判断や増幅率設定情報の生成過程については、改めて説明する。
【００３９】
制御部１７は、放送受信装置１内でなされる各処理を制御する。また操作部１８は、例えばボタンスイッチやリモコン信号受信部等を備えており、ユーザが放送受信装置１に各種指示を与えるためのインターフェースとして機能する。この各種指示は、電源部１５による電源供給のＯＮ／ＯＦＦの切替、後述する増幅率調整処理における自動／手動の切替、手動選択時における増幅率の設定、受信チャンネルの切替などを含む。
【００４０】
以上に説明した構成により、放送受信装置１は、デジタル放送の放送波を受信し、さらに放送信号に増幅・復調処理を施して、放送内容に係る映像や音響を出力させることが可能となっている。また放送波の受信中などに、受信状態の良否に応じて、放送信号に対する増幅率を調整する処理（増幅率調整処理）を行うことが可能となっている。次にこの増幅率調整処理の内容について説明する。
【００４１】
増幅率調整処理の流れを図３に示す。まず制御部１７は、操作部１８において、増幅率調整処理が自動あるいは手動の何れで行われるように設定されているかを判断する（ステップＳ１１）。そして手動で行われるように設定されている場合は（ステップＳ１１の手動）、ユーザが、増幅率の調整を自在に実行できるようにする。
【００４２】
より具体的には、操作部１８を通じてユーザによって指示されている処理モード（あるいは増幅率）を検出し、この検出結果を増幅率調整部１６に伝える。そして増幅率調整部１６は、この結果に基づいて増幅率設定情報を生成し、ＲＦ回路１２に伝える。ＲＦ回路１２では、この増幅率設定情報に基づいて、ユーザの指示に対応した処理モードが設定される（ステップＳ１２）。
【００４３】
一方、ステップＳ１１の処理において、自動で行われるように設定されている場合は（ステップＳ１１の自動）、受信状態の良否に応じて、増幅率が自動的に設定されるようにする。
【００４４】
より具体的には、まず増幅率調整部１６は、放送信号処理部１３から受取った振幅情報に基づいて、放送信号（ＲＦ回路１２により増幅処理のなされたもの）の振幅状態が、所定の基準水準より大きいかどうかの判断（以下、「振幅判断」と称する）を行う。この判断は、例えば直近の所定時間内に、この放送信号が基準値よりも大きかった時が存在するかどうかの検出（存在する場合は、基準水準より大きいとみなす）を通じて実現されうる。
【００４５】
なおこの基準水準は、出力される映像および音響の品質が、所定水準（例えば、ユーザが不快感を抱かずに視聴できる範囲の下限）となるときの放送信号の振幅状態として予め定められたものである。そのため、放送信号の振幅状態が基準水準より小さい場合は、映像および音響の品質は悪く、逆に大きい場合は、映像および音響の品質は良くなる。
【００４６】
ステップＳ１３の処理の結果、基準水準より小さいと判断されたときは、現状より処理モードを１ランク上げるように増幅率設定情報を生成し、ＲＦ回路１２に伝送する。ＲＦ回路１２はこの増幅率設定情報を受けて、処理モードを更新する（ステップＳ１４）。その後、再度ステップＳ１１の処理に戻る。
【００４７】
またステップＳ１３の処理の結果、基準水準より大きいと判断されたときは、次に最適化処理を実行すべきタイミングが到来しているか否かを判断する（ステップＳ１５）。そして到来していないと判断されたときは、ステップＳ１１の処理に戻る一方、到来していると判断されたときは、最適化処理を実行（ステップＳ１６）した後にステップＳ１１の処理に戻る。
【００４８】
ここで最適化処理について説明する。最適化処理は、現時点での受信状態に対して最適となる処理モードを探索し、設定するための処理である。つまり放送信号が一定以上の（基準水準より大きい）振幅状態となる程度に増幅率を確保しつつ、ＲＦ回路１２での消費電力を極力小さくすることができる処理モードの適用を実現するものである。この最適化処理の流れについて、図４を参照しながら以下に説明する。
【００４９】
まずＲＦ回路１２に、増幅率が最低である処理モード（ここではモードＣ）を仮適用（試験的に適用）する（ステップＳ２１）。そしてこの状態で、先述した振幅判断を実行する（ステップＳ２２）。その結果、放送信号の振幅が基準水準より小さいと判断された場合は、更に増幅率を大きくする必要があると考えられる。そこで現状より１ランク上げた処理モードを仮適用することとし（ステップＳ２３）、再度ステップＳ２２の処理を実行する。
【００５０】
また一方、ステップＳ２２の処理において、放送信号の振幅が基準水準より大きいと判断された場合は、その段階で仮設定されている処理モードを正式な処理モードとして設定し（ステップＳ２４）、一連の最適化処理を終了する。以上に説明した最適化処理により、現在における受信状態の良否に応じて最も適切な処理モードが適用されることとなる。例えば、現状の受信状態ではモードＢまたはモードＡ（ただし省電力の点でモードＢに劣る）で対応可能である場合、モードＣやモードＡが適用されてしまう状況を回避することができる。
【００５１】
なお最適化処理の手法としては、上述したものの他、増幅率が最も大きい処理モードから順に振幅判断を実行するようにしてもよい。また例えば、全ての処理モードを仮適用するとともにその各々について振幅判断を実行し、その結果に基づいて、放送信号の振幅状態が基準水準より大きかった範囲内で増幅率が最小であった処理モードを検知し、正式に適用するものとしても良い。
【００５２】
また最適化処理を実行するタイミングとしては、例えば所定の時間間隔とするなど、種々の態様が採用され得る。なお、電源部１５による電源供給をＯＮに切替えた時や、受信チャンネルを切替えた時には、これまでとは受信状態が大きく変化している可能性が高いと考えられる。そのため、少なくともこれらの時には、最適化処理を実行するようにしておくのが好ましい。
【００５３】
また放送受信装置１においては、デジタル放送の受信状態の良否を表示してユーザに知らせるための表示装置を備えておくことが好ましい。このようにしておけば、手動による増幅率の調整（ステップＳ１２）を、かかる表示を参照しながら実行することが可能となり、利便性が向上する。
【００５４】
また本実施形態では、最適化処理（比較的処理負担が大きいと考えられる）が頻繁に実行されることによる処理負担の増大を避けるため、ステップＳ１３〜Ｓ１５の処理（比較的処理負担が小さいと考えられる）については、恒常的に実行することで信号品質を極力確保することとしながらも、最適化処理については、所定のタイミングの到来時にのみ実行するようにしている。しかし最適化処理を恒常的に実行するものとしても構わず、この場合は、ステップＳ１３〜Ｓ１５の処理を省略しても、本実施形態とほぼ同様の効果が得られる。
【００５５】
以上までに説明した通り、本実施形態の放送受信装置は、デジタル放送波を受信し、放送信号として後段回路に伝送するアンテナ１１等と、この放送信号を増幅するＲＦ回路１２と、受信状態の良否を判断し、該判断の結果に応じて増幅率を調整する増幅率調整部１６等を備えている。そのため、受信状態の良否に応じて、放送信号の増幅率を調整させることが可能となっている。
【００５６】
なお本実施形態では、受信状態の良否は、ＲＦ回路１２で増幅された放送信号の振幅状態に基づいて判断されているが、増幅される前の放送信号の振幅状態に基づくものとしても良く、またその他の手法を採用してもよい。例えば、放送信号の復調処理における安定性（エラーの発生頻度の高低）を監視しておき、この安定性が所定の基準水準よりも良いか否かを検出することにより、受信状態の良否を判断するようにしてもよい。またユーザによる放送内容の視聴が可能な程度に映像・音響の出力がなされているかを検出することで、受信状態の良否を判断するようにしてもよい。
【００５７】
また本発明は上述した実施形態に限定されず、本発明の主旨を逸脱しない限り、種々の改変を加えることが可能である。
【産業上の利用可能性】
【００５８】
本発明は、移動体デジタル放送受信装置などの分野において利用可能である。
【図面の簡単な説明】
【００５９】
【図１】本発明の実施形態に係る、放送受信装置の構成図である。
【図２】本発明の実施形態に係る、ＲＦ回路の構成図である。
【図３】増幅率調整処理に関する流れ図である。
【図４】最適化処理に関する流れ図である。
【符号の説明】
【００６０】
１１    アンテナ
１２    ＲＦ回路（増幅部）
１３    信号処理部（復調部）
１４    出力部
１５    電源部
１６    増幅率調整部
１７    制御部
１８    操作部
２１    ＲＦ可変増幅回路
２２    ミキサー回路
２３    局部発振回路
【図１】
2008199430.tif 000003
【図２】
2008199430.tif 000004
【図３】
2008199430.tif 000005
【図４】
2008199430.tif 000006